(57)【特許請求の範囲】
【請求項１】
開閉自在の外箱と内箱の二重箱となっている小物入れ開閉二重箱であって，
前記外箱は，閉じた状態での平面視がハート型で，その葉末端部を通る中心線で分割された左右対称の右側外箱と左側外箱とからなり，上記右側外箱と左側外箱とは，これらを連結する垂直の連結部を中心として開閉自在であり，前記内箱は，平面視のハート型外形が前記閉じられた外箱の平面視でのハート型外形と略相似形となっている小物入れ開閉二重箱において，
前記連結部が，前記ハート型の葉末端部に設けられていることを特徴とする小物入れ開閉二重箱。
【請求項２】
前記外箱の上記右側外箱と左側外箱の各々が，平面視で半ハート型の外板側上板及び下板と，上記外板側上板及び下板の外形辺を上下につなぐ平面視でハート型の外板側測板とから構成され，閉じた時に略密閉箱を構成するものであり，内箱は，ハート型の内箱側下板と，該内箱側下板の外形辺から上方向に垂直に伸びる内箱側測板とからなり，上面が開放されてなるものである請求項１に記載の小物入れ開閉二重箱。
【請求項３】
前記内箱がその葉末端部を外箱の葉末端部に略重ねた状態で外箱内に収納されてなる請求項１あるいは２のいずれかに記載の小物入れ開閉二重箱。
【請求項４】
前記内箱が外箱内に収納された状態で，内箱の前記測板の外面が，外箱の測板の内面に略当接し，内箱の前記葉末端部と外箱の葉末端部とが略当接する大きさに構成されてなる請求項３に記載の小物入れ開閉二重箱。
【発明の詳細な説明】
【技術分野】
【０００１】
本発明は，外箱が開閉自在の小物入れ開閉二重箱の構造にかかり，特に，開閉時に使用者に意外性を感じさせることの出来る小物入れ開閉二重箱の構造の構造に関するものである。
【背景技術】
【０００２】
上記のような外箱が開閉自在の小物入れ開閉二重箱の構造の従来例としては，例えば，特許文献１に開示されるものが知られている。
図１（ａ）は，上記特許文献１に開示された矩形状で片面が開放された下箱１と上箱２からなる外箱３内に，上面が開放されている同じく矩形状の内箱４を収納し，上箱２を開くことで内箱４とその中に納められた菓子，装飾品などが見られるようになっている。
図１（ｂ）は，（ａ）における箱の形が平面視でハート型の開閉箱であり，詳細は（ａ）と変わりはないので，説明を省略する。
また図１（ｃ）は，外箱５の上面が開閉自在の蓋６で閉じられ，この蓋６を開くことで，外箱５が開放され，内部の内箱７及その中に納められた菓子，装飾品などが見られるようになっている。
上記の例は，矩形状の開閉箱に関するものであるが，断面円形の箱や，楕円形の箱なども見受けられる。
【特許文献１】特開２００２−１７８４１７号公報
【発明の開示】
【発明が解決しようとする課題】
【０００３】
上記した従来の小物入れ開閉二重箱は，箱の中に箱があることで一定の楽しさを醸しだし，使用者に満足を与えるものであるが，単純に外箱を開くと，外箱と同じ形状の内箱が現れるだけで，変化に乏しく，使用者に意外性を与える機能についてはあまり高いものではない。
また，宝石や貴金属そのほか貴重品を入れたり，菓子容器としての開閉二重箱では，その外観の意匠性を高めるために，外張りがクロスなどで出来ており，開閉の連結部が，このクロスで繋がっているだけのものが多く見られるが，このようなクロスによる外張りは，単純にクロスを接着しただけのものが多く，上記連結部で大きい角度で開閉すると，この連結部に大きい外力が掛かって外張りが剥がれるといった問題が発生する。
従って本発明は，上述の従来技術では解決できなかった開閉二重箱における意外性を向上させることが出来る，優れた開閉二重箱の提供を第１の目的とする。また，第２の目的は，上記のように開閉時に大きい外力が掛からないような開閉二重箱の構造を提供することである。
【課題を解決するための手段】
【０００４】
上記目的を達成するために本発明は，
開閉自在の外箱と内箱の二重箱となっている小物入れ開閉二重箱であって，
前記外箱は，閉じた状態での平面視がハート型で，その葉末端部を通る中心線で分割された左右対称の右側外箱と左側外箱とからなり，上記右側外箱と左側外箱とは，これらを連結する垂直の連結部を中心として開閉自在であり，前記内箱は，平面視のハート型外形が前記閉じられた外箱の平面視でのハート型外形と略相似形となっている小物入れ開閉二重箱において，
前記連結部が，前記ハート型の葉末端部に設けられていることを特徴とする小物入れ開閉二重箱として構成されている。
この構成は，小物入れ開閉二重箱を平面的にとらえた構成で限定したものであるが，この構成によって，この小物入れ開閉二重箱では，外箱がハート型の葉末端部で連結された構造であるため，この連結部を中心に外箱を左右に開くと，その開く動作に伴って，内箱のハート型外形のうち，葉元部を含む葉上端部が徐々に見えてくるので，開く動作を行っている使用者は，非常に意外な感覚におそわれ，徐々に開いていく内箱のハート型全貌を楽しむことが出来る。
このような小物入れ開閉二重箱では，前記連結部が，前記ハート型の葉末端部に設けられていることが望ましい。
理由の詳細は後述するが，前記連結部が，前記ハート型の葉末端部に設けられていることによって，外箱の連結部を鋭角に曲げる必要がなく，上記連結部に大きい力が加わらないので，上記連結部が破損する問題が解消される。
【０００５】
また，本発明に係る小物入れ開閉二重箱を立体的に捉えると，前記外箱の上記右側外箱と左側外箱の各々が，平面視で半ハート型の外板側上板及び下板と，上記外板側上板及び下板の外形辺を上下につなぐ平面視でハート型の外板側測板とから構成され，閉じた時に略密閉箱を構成するものであり，内箱は，ハート型の内箱側下板と，該内箱側下板の外形辺から上方向に垂直に伸びる内箱側測板とからなり，上面が開放されてなるものと捉えることが出来る。
さらに，この発明に係る小物入れ開閉二重箱は，前記内箱がその葉末端部を外箱の葉末端部に略重ねた状態で外箱内に収納されてなるように構成することが出来る。
このような構成によって，限られた外箱に収められる内箱として大きな内容量を持たせることが出来る。
さらに，具体的には，内箱が外箱内に収納された状態で，内箱の前記測板の外面が，外箱の測板の内面に略当接し，内箱の前記葉末端部と外箱の葉末端部とが略当接する大きさに構成されてなる小物入れ開閉二重箱が提供される。
【０００６】
本発明に係る小物入れ開閉二重箱は上述のように構成されているので，連結部を中心に外箱を左右に開くと，その開く動作に伴って，内箱のハート型外形のうち，葉元部を含む葉上端部が徐々に見えてくるので，開く動作を行っている使用者は，非常に意外な感覚に囚われ，徐々に開いていく内箱のハート型全貌を楽しむことが出来る。
【発明を実施するための最良の形態】
【０００７】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は，従来の開閉箱型の小物入れを示す斜視図，図２は，本発明の一実施形態にかかる小物入れ開閉二重箱の外箱を閉じた状態における正面図，図２は，本発明の一実施形態にかかる小物入れ開閉二重箱の外箱を閉じた状態における正面図，図３は，本発明の一実施形態にかかる小物入れ開閉二重箱の外箱を閉じた状態における右側面図，図４は，本発明の一実施形態にかかる小物入れ開閉二重箱の外箱を閉じた状態における上面図，図５は，本発明の一実施形態にかかる小物入れ開閉二重箱の外箱を閉じた状態における底面図，図６は，本発明の一実施形態にかかる小物入れ開閉二重箱の外箱を閉じた状態における背面図，図７は，本発明の一実施形態にかかる小物入れ開閉二重箱の内箱の正面図，図８は，本発明の一実施形態にかかる小物入れ開閉二重箱の内箱の右側面図，図９は，本発明の一実施形態にかかる小物入れ開閉二重箱の内箱の上面図，図１０は，本発明の一実施形態にかかる小物入れ開閉二重箱の内箱の底面図，図１１は，本発明の一実施形態にかかる小物入れ開閉二重箱の内箱の背面図，図１２は，本発明の一実施形態にかかる小物入れ開閉二重箱の外箱の斜視図，図１３は，本発明の一実施形態にかかる小物入れ開閉二重箱の外箱を開いた状態の斜視図に相当する写真，図１４は，本発明の一実施形態にかかる小物入れ開閉二重箱の外箱を開いた状態の斜視図に相当する写真，図１５は，本発明の一実施形態にかかる小物入れ開閉二重箱の外箱を開いた状態の斜視図に相当する写真，図１６は，本発明の一実施形態にかかる小物入れ開閉二重箱の外箱を開いた状態の斜視図に相当する写真，図１７は，本発明の一実施形態にかかる小物入れ開閉二重箱の外箱にリボンをかけた状態を示す斜視図に相当する写真，図１８は，本発明の一実施形態にかかる小物入れ開閉二重箱の外箱にリボンをかけた状態を示す正面図に相当する写真，図１９は，本発明の一実施形態にかかる小物入れ開閉二重箱の外箱をハート型の葉末端部を中心に開いた状態と葉元端部を中心に開いた状態を示す正面図，図２０は，外箱を開いた状態を示す斜視図，図２１は，小物入れ開閉二重箱の外観斜視図である。
【０００８】
まず，図１２の外観斜視図を用いて，本発明の一実施の形態に係る小物入れ開閉二重箱１０の構造について説明する。図１２は，開閉可能な外箱１１を閉じた状態を示している。図２１は，その写真である。
この実施形態にかかる小物入れ開閉二重箱１０の外箱１１は，図２（ａ）に示すように閉じた状態での平面視がハート型をなしている。このハート型は，葉元部１２から葉末端部１３を曲線１４で結んだ形をしており，平面視で，その葉末端部１３及び葉元部１２を通る中心線１５で分割された左右対称の右側外箱１１Ｒと左側外箱１１Ｌからなり，上記右側外箱１１Ｒと左側外箱１１Ｌとは，これらを連結する葉末端部１３を通る垂直の連結部１６（図１２参照）を中心として矢印ＸＲ，ＸＬで示すように開閉自在である。外箱１１を途中まで開いた状態が，図２（ｂ）に示されている。この開く動作によって内箱２０が見えてくる。
上記外箱１１内には，上記図２（ｂ）に示すような内箱２０が納められている。内箱２０の詳細は，図７〜１１に示されている。
上記内箱２０は，上記図７に示す平面視での外形が，前記閉じられた外箱１１の平面視でのハート型外形と相似形となっている。
【０００９】
上の説明は，小物入れ開閉二重箱１０の外観をもっぱら平面的にとらえた形状で説明したものであるが，上記小物入れ開閉二重箱１０の外箱１１は，立体的には，図２〜図６に示すような構造となっている。また内箱２０は，上記したように図７〜１１に示すように構成されている。
即ち，前記外箱１１の立体的構造は，図２０に示すように，閉じたときにハート型となる外箱側上板１１ＵＬ及び外箱側下板１１ＬＲと，上記外箱側上板１１ＬＲ及び外箱側下板１１ＬＲの外形辺１１Ｏを上下につなぐ平面視でハート型の外箱側測板１１ＳＲとから構成され，閉じた時に略密閉箱を構成するものである。ここでは，図面の見える部分との関係で右側外箱１１Ｒについてのみ説明したが，左側外箱１１Ｌについても対称であるので，ここでは説明を省略する。
また，内箱２０は，図２０（ｂ）に示すように，平面視でハート型の内箱側下板２１と，該内箱側下板２１の外形辺２１ａから上方向に垂直に伸びる湾曲した内箱側測板２２とからなり，上面が開放状に構成されている。
【００１０】
この構成によって，この実施形態に係る小物入れ開閉二重箱１０では，外箱１１がハート型の葉末端部１３から垂直に伸びる連結部１６で連結された構造であるため，この連結部１６を中心に外箱の右側外箱１１Ｒと左側外箱１１Ｌを図２（ｂ）あるいは図１３のように左右に開くと，その開く動作に伴って，内部に収容された内箱２０のハート型外形のうち，葉元部２４（図２０（ｂ））を含む葉上端部２５が徐々に見えてくるので，図１３〜図１５に示す開く動作を行っている使用者は，非常に意外な感覚におそわれ，徐々に開いていく内箱２０のハート型全貌を楽しむことになる。
このような意外性は，図１（ａ）や（ｃ）に示された単純な矩形の箱や，単純に上下垂直に開閉する図１（ｂ）のハート型の箱あるいは円形の箱では達成できず，この実施例に示すように，外箱１１の連結部１６で左右に開くハート型の小物入れ開閉二重箱１０の場合にとりわけ強く感じられるものである。
【００１１】
また，この実施形態に係る小物入れ開閉二重箱１０を立体的に捉えると，前記外箱１１は，閉じたときにハート型となる外箱側上板１１ＵＬ（Ｒ）及び外箱側下板１１ＬＬ（Ｒ）と，上記外箱側上板１１ＵＬ（Ｒ）及び外箱側下板１１ＬＬ（Ｒ）の外形辺１１Ｏを上下につなぐ平面視でハート型の外箱側測板１１ＳＬ（Ｒ）とから構成されており，左右外箱（１１Ｒ，１１Ｌ）を閉じた時に，略密閉箱を構成するものである。
このような実施形態に係る小物入れ開閉二重箱１０では，図２（ｂ）に示すように，前記内箱２０がその葉末端部２３（図２０（ｂ））を外箱１１の葉末端部１３に略重ねた状態で外箱１１内に収納される。
このような構成によって，限られた大きさの外箱１１に収められる内箱２０として大きな内容量を持たせることが出来る。
さらに，図２（ｂ）に示されるように，具体的には，内箱２０が外箱１１内に収納された状態で，内箱２０の前記測板２２の外面２２ａが，外箱１１の測板１１ＳＬ（Ｒ）の内面１１ＩＮに略当接し，内箱２０の前記葉末端部２３と外箱１１の葉末端部１３の内側とが略当接する大きさに構成されていることが望ましい。
このように内箱２０が外箱１１にほぼ内接し，且つ，その状態で外箱１１を前記連結部１６を中心に開くことが出来る大きさの時に，内箱２０が，もっとも大きい容積を持つことが出来る。
【００１２】
前記外箱１１の連結部１６は，前記ハート型の葉末端部１３か，あるいは葉元部１２に設けることができるが，次に述べる理由によって葉末端部１３に設けることが望ましい。
図１９（ａ）は，葉末端部１３を連結部１６とし，これを中心として外箱１１を開いて内箱２０を収納，あるいは取り出している状態である。また，同図（ｂ）は，葉元部１２を連結部１６とし，これを中心として外箱１１を開いて内箱２０を収納，あるいは取り出している状態である。
これらの図から明らかなように，いずれの場所を連結部１６としても，同じ内箱２０を取り出すのであるから，その時の外箱１１を開く角度（α）は等しい。しかしながら，連結部１６の外側の角度θ１（葉末端部１３を中心に開いた場合）とθ２（葉元部１２を中心に開いた場合）とは，全く異なり，θ１の方が遙かに大きい。
ところで，このような小物入れ開閉二重箱１０では，通常，意匠性を高めるために，内箱２０はもとより，外箱１０の内外面にはクロスが貼り付けられており，外箱１１の右側外箱１１Ｒと左側外箱１１Ｌとは，このようなクロスで繋がっている。そのため，上記のように連結部１６を中心に外箱１１を図１９のように開くと，この開く動作によって外箱１１の外面に貼り付けられたクロスには，たわみが生じ，このたわみによって，クロスを剥がそうとする力が発生する。特に，このたわみが大きいとクロスを剥がそうとする力は非常に大きいものとなることは容易に理解されるが，上記の図１９（ｂ）のように連結部１６を中心とする角度θ２が鋭角になると，クロスを剥がそうとする力が大きくなり，外箱１１を何度か開閉するうちに，クロスが剥がれて，小物入れ開閉二重箱１０が著しく損傷する。逆に，図１９（ａ）のように，θ１が大きいと，クロスにはほとんどたわみが生じないので，何度開閉しても小物入れ開閉二重箱１０が損傷するような不都合が生じない。
このように小物入れ開閉二重箱１０の開閉による損傷を少なくするという点では，連結部１６を外箱１１の平面視でのハート型における葉末端部１３に設けることがきわめて有効である。このような効果は，外箱１１の形が平面視でハート型からなるという特殊事情に基づくものである。
【００１３】
また，この実施形態に係る小物入れ開閉二重箱１０では，外箱１１が開閉自在であるので，単純に放置すると外箱１１が若干開いた状態になってしまうことが考えられる。これを防止するために種々の開き防止部材を設けることが望ましい。
図１７及び図１８では，リボン２７の一旦を左右側外箱１１Ｒ，１１Ｌの上板１１ＵＲ（Ｌ）の上面に固定し，両方のリボン２７を図のように結ぶことで，左右側外箱１１Ｒ，１１Ｌがキチンと閉じた状態を維持出来るようにしてある。
リボン２７は開き防止部材の一例であるが，図２０（ａ）に示すように，左右側外箱１１Ｒ（Ｌ）の閉じたときの対向面２８に，例えばマジックテープ（登録商標）を貼り付けて，マジックテープ（登録商標）の吸着力で，左右側外箱１１Ｒ（Ｌ）の閉じた状態を維持出来るようにしてもよく，あるいは，適当な契合部と被契合部を取り付けて左右側外箱１１Ｒ（Ｌ）の閉じた状態を維持できるようにしても良い。
【図面の簡単な説明】
【００１４】
【図１】従来の開閉箱型の小物入れを示す斜視図。
【図２】本発明の一実施形態にかかる小物入れ開閉二重箱の外箱を閉じた状態における正面図。
【図３】本発明の一実施形態にかかる小物入れ開閉二重箱の外箱を閉じた状態における右側面図。
【図４】本発明の一実施形態にかかる小物入れ開閉二重箱の外箱を閉じた状態における上面図。
【図５】本発明の一実施形態にかかる小物入れ開閉二重箱の外箱を閉じた状態における底面図。
【図６】本発明の一実施形態にかかる小物入れ開閉二重箱の外箱を閉じた状態における背面図。
【図７】本発明の一実施形態にかかる小物入れ開閉二重箱の内箱の正面図。
【図８】本発明の一実施形態にかかる小物入れ開閉二重箱の内箱の右側面図。
【図９】本発明の一実施形態にかかる小物入れ開閉二重箱の内箱の上面図。
【図１０】本発明の一実施形態にかかる小物入れ開閉二重箱の内箱の底面図。
【図１１】本発明の一実施形態にかかる小物入れ開閉二重箱の内箱の背面図。
【図１２】本発明の一実施形態にかかる小物入れ開閉二重箱の外箱の斜視図。
【図１３】本発明の一実施形態にかかる小物入れ開閉二重箱の外箱を開いた状態の斜視図に相当する写真。
【図１４】本発明の一実施形態にかかる小物入れ開閉二重箱の外箱を開いた状態の斜視図に相当する写真。
【図１５】本発明の一実施形態にかかる小物入れ開閉二重箱の外箱を開いた状態の斜視図に相当する写真。
【図１６】本発明の一実施形態にかかる小物入れ開閉二重箱の外箱を開いた状態の斜視図に相当する写真。
【図１７】本発明の一実施形態にかかる小物入れ開閉二重箱の外箱にリボンをかけた状態を示す斜視図に相当する写真。
【図１８】本発明の一実施形態にかかる小物入れ開閉二重箱の外箱にリボンをかけた状態を示す正面図に相当する写真。
【図１９】本発明の一実施形態にかかる小物入れ開閉二重箱の外箱をハート型の葉末端部を中心に開いた状態と葉元端部を中心に開いた状態を示す正面図。
【図２０】外箱を開いた状態を示す斜視図。
【図２１】実施形態に係る小物入れ開閉二重箱の外観斜視図。
【符号の説明】
【００１５】
１０…小物入れ開閉二重箱
１１…外箱
１１Ｒ…右側外箱
１１Ｌ…左側外箱
１２…葉元部（外箱側）
１３…葉末端部（外箱側）
１５…中心線
１６…連結部
２０…内箱
２１…内箱側下板
２２…内箱側測板
２３…葉末端部（内箱側）
２４…葉元部（内箱側）
【図１】
0004521439.tif 000002
【図２】
0004521439.tif 000003
【図３】
0004521439.tif 000004
【図４】
0004521439.tif 000005
【図５】
0004521439.tif 000006
【図６】
0004521439.tif 000007
【図７】
0004521439.tif 000008
【図８】
0004521439.tif 000009
【図９】
0004521439.tif 000010
【図１０】
0004521439.tif 000011
【図１１】
0004521439.tif 000012
【図１２】
0004521439.tif 000013
【図１９】
0004521439.tif 000014
【図２０】
0004521439.tif 000015
【図１３】
0004521439.tif 000016
【図１４】
0004521439.tif 000017
【図１５】
0004521439.tif 000018
【図１６】
0004521439.tif 000019
【図１７】
0004521439.tif 000020
【図１８】
0004521439.tif 000021
【図２１】
0004521439.tif 000022